(57)【要約】【課題】施工も容易、排水効果の高い、建物外壁目地のシール構造の排水構造を提供する。【解決手段】建物外壁の各鉛直方向目地３ａにはガスケット４が嵌着され、各水平方向目地３ｂには不定形シーリング剤５が充填され、しかも前記ガスケット４が、目地の奥から表に向かって伸びる柱状部４ａ、及びその柱状部４ａの表側の端に結合され、左右両側に伸び、目地３ａ左右側面に弾接する表面リップ４ｂを備えたものにおいて、断面コの字状のクリップ６が、前記ガスケット４の下方にの水平方向目地３ｂとの境に近い部分にあたる前記各表面リップ４ｂ左右両先端部を挟むように外嵌されていることによって、その各表面リップ４ｂと，鉛直方向目地３ａと，の間、そのクリップ６の上下にそれぞれそのガスケット４内に入った水を屋外に排出する排水口として機能する隙間とが形成されている【選択図】図１
2007297893.tif 000002
【特許請求の範囲】
【請求項１】
建物外面に張られた、隣り合う２つの面材間に垂直に交差するよう形成された、各鉛直方向目地にはガスケットが嵌着され、各水平方向目地には不定形シーリング剤が充填され、しかも前記各鉛直方向目地に嵌着されたガスケットが、目地の奥から表に向かって伸びる柱状部、及びその柱状部の表側の端に結合され、左右両側に伸び、目地左右側面に弾接する表面リップを備えている建物外壁目地のシール構造において、
断面略コの字状のクリップが、前記各表面リップの下部、その下方の水平方向目地との境に近い部分の左右両先端部を挟むように外嵌されていることによって、その各表面リップと，それが嵌着される鉛直方向目地と，の間に、ガスケット内に入った水を屋外に排出する排水口として機能する隙間が形成されている
ことを特徴とする建物外壁目地のシール構造の排水構造。
【請求項２】
前記クリップの相対する２つの部分のうち、前記ガスケットの表面リップの裏面と相対する裏側部の肉厚が、前記ガスケットの表面リップの表面と相対する表側部のそれに比較して厚く設定されている
ことを特徴とする、請求項１に記載の建物外壁目地のシール構造の排水構造。
【請求項３】
前記クリップの相対する２つの部分のうち、前記ガスケットの表面リップの裏面と相対する裏側部が、前記ガスケットの表面リップの表面と相対する表側部に比較して前記ガスケットの長手方向に長く設定されている
ことを特徴とする、請求項１又は２に記載の建物外壁目地のシール構造の排水構造。
【請求項４】
前記裏側部のうち、少なくとも、前記ガスケットの長手方向に前記表側部と同長の部分を超えて延長された部分は、肉厚が前記表側部のそれと同等又はそれより薄く設定されている
ことを特徴とする、請求項３に記載の建物外壁目地のシール構造の排水構造。
【請求項５】
前記裏側部のうち、前記表側部と，前記ガスケットの長手方向に同長の部分を超えて延長された部分の内縁と，が前記クリップの開口側内縁と同一鉛直平面上にあり、しかも前記同長の部分を超えて延長された部分の内縁と外縁との距離が前記同長の部分から前記ガスケットの長手方向に離れるに従って漸減している
ことを特徴とする、請求項３又は４に記載の建物外壁目地のシール構造の排水構造。
【請求項６】
前記クリップの表側部の、前記ガスケットの表面リップの表面に相対する裏面に、その表面リップの表面と接する、突起又は前記ガスケットの長手方向に伸びる突条が形成されている
ことを特徴とする、請求項１乃至５のいずれかに記載の建物外壁目地のシール構造の排水構造。
【発明の詳細な説明】
【技術分野】
【０００１】  本発明は、建物外壁目地のシール構造の排水構造に関する。
【背景技術】
【０００２】  先ず建物外壁目地のシール構造について図４により説明すると、１は建物の外面に張られた面材、３ａ、３ｂは垂直に交差する鉛直方向目地、水平方向目地であって、建物外面に張られた、隣り合う２つの面材１，１間に形成された、鉛直方向、水平方向の隙間よりなる。４は前記各鉛直方向目地３ａに嵌着されたガスケットであって、前記目地３ａの奥から表に向かって伸びる柱状部４ａ、その柱状部４ａの表側の端に結合され、左右両側に伸び、目地３ａ左右側面（面材１，１）に弾接する表面リップ４ｂ、その表面リップ４ｂの奥、前記柱状部４ａには、左右両側に伸び、目地左右側面に弾接する中間リップ４ｃ、奥リップ４ｄが結合されている。【０００３】  以上に対して、５は前記各水平方向目地３ｂに注入、充填された不定形のシーリング剤であって、各ガスケット４はその各水平方向目地３ｂによって分断されているが、シーリング剤５は両目地３ａ，３ｂの交差部を含めて水平方向に連続しており、各鉛直方向目地３ａはその側面へのリップ４ｂ，４ｃ，４ｄの弾接によって、また各水平方向目地３ｂはシーリング剤５の充填によってそれぞれ水密にシールされている。なお、施工に当たっては先ず鉛直方向目地３ａらガスケットト４を嵌着、次いで水平方向目地３ｂにシーリング剤５を充填する。【０００４】  しかしながら、そのシーリング剤５が各ガスケット４の上下両端を閉塞しているため、表面リップ４ｂを越えて水が各鉛直方向目地３ａ内に浸入すると、その水が排出されず、溜まるため、それによって面材１が損傷を受け、屋内への水漏れに発展すると言う問題点がある。しかも、冬季にはその溜まった水が凍結、膨張し、その圧力によって面材１が損傷を受けると言う問題点も加わる。また、排水路、排水口の設置については当業者が容易に思い到ることではあるが、それに伴う外観の悪化、工数増、コスト増もあり、満足するものの発案に到っていないのが現状である。
【発明の開示】
【発明が解決しようとする課題】
【０００５】
【０００６】  以上のことから、本発明は、上記した従来技術の欠点を除くために、施工も容易であって、排水効果の高い、建物外壁目地のシール構造の排水構造を提供することにある。
【課題を解決するための手段】
【０００７】  上記の目的を達するために、請求項１の発明は、建物外面に張られた、隣り合う２つの面材間に垂直に交差するよう形成された、各鉛直方向目地（３ａ）にはガスケット（４）が嵌着され、各水平方向目地（３ｂ）には不定形シーリング剤（５）が充填され、しかも前記各鉛直方向目地（３ａ）に嵌着されたガスケット（４）が、目地（３ａ）の奥から表に向かって伸びる柱状部（４ａ）、及びその柱状部（４ａ）の表側の端に結合され、左右両側に伸び、目地（３ｂ）左右側面に弾接する表面リップ（４ｂ）を備えている建物外壁目地のシール構造において、その排水構造は、断面略コの字状のクリップ（６）が、前記各表面リップ（４ｂ）の下部、その下方の水平方向目地（３ｂ）との境に近い部分の左右両先端部を挟むように外嵌されていることによって、その各表面リップ（４ｂ）と，それが嵌着される鉛直方向目地（３ａ）と，の間に、ガスケット（４）内に入った水を屋外に排出する排水口として機能する隙間（Ｓ）が形成されている。【０００８】  請求項２の発明は、請求項１の発明の構成に加えて、前記クリップ（６）の相対する２つの部分のうち、前記ガスケット（４）の表面リップ（４ｂ）の裏面と相対する裏側部（６ｂ）の肉厚が、前記ガスケット（４）の表面リップ（４ｂ）の表面と相対する表側部（６ａ）のそれに比較して厚く設定されている。【０００９】  請求項３の発明は、請求項１又は２の発明の構成に加えて、前記クリップ（６）の相対する２つの部分のうち、前記ガスケット（４）の表面リップ（４ｂ）の裏面と相対する裏側部（６ｂ）が、前記ガスケット（４）の表面リップ（４ｂ）の表面と相対する表側部（６ａ）に比較して前記ガスケット（４）の長手方向に長く設定されている【００１０】  請求項４の発明は、請求項３の発明の構成に加えて、前記裏側部（６ｂ）のうち、少なくとも、前記ガスケット（４）の長手方向に前記表側部（６ａ）と同長の部分を超えて延長された部分（６ｂｂ）は、肉厚が前記表側部（６ａ）のそれと同等又はそれより薄く設定されている。【００１１】  請求項５の発明は、請求項３又は４の発明の構成に加えて、前記裏側部（６ｂ）のうち、前記表側部（６ａ）と，前記ガスケット（４）の長手方向に同長の部分を超えて延長された部分の内縁と，が前記クリップ（６）の開口側内縁と同一鉛直平面上にあり、しかも前記同長の部分を超えて延長された部分の内縁と外縁との距離が前記同長の部分から前記ガスケット（４）の長手方向に離れるに従って漸減している。【００１２】  請求項６の発明は、請求項１乃至５のいずれかの発明の構成に加えて、前記クリップ（６）の表側部（６ａ）の、前記ガスケット（４）の表面リップ（４ｂ）の表面に相対する裏面に、その表面リップ（４ｂ）の表面と接する、突起又は前記ガスケット（４）の長手方向に伸びる突条（６ｃ）が形成されている。
【発明の効果】
【００１３】  請求項１の発明によれば、断面コの字状のクリップが、前記各表面リップの下部の左右両側、下方の各水平方向目地との境に近い部分を挟むように外嵌されるだけで、その各表面リップと，それが嵌着される鉛直方向目地と，の間、そのクリップの上下にそれぞれそのガスケット内に入った水を屋外に排出する排水口として機能する隙間が形成されるため、その表面リップを越えて水が鉛直方向目地内に浸入しても、その水は前記隙間から屋外に自重で排出され、内部に溜まることはなく、従って面材や下地材がそれによって損傷を受けたり、さらに屋内への水漏れに発展したり、することはない。勿論、冬季に溜まった水の凍結、膨張による従来の問題点もない。【００１４】  従って、上記のように追加したクリップを従来から用いているガスケットに外嵌するだけであるため、コスト増はクリップの製作だけに基づくものであり、僅少であって、しかも、そのクリップは、透明にするか、又はガスケットと同色にするか、すれば、外観を損なうこともない。【００１５】  請求項２の発明によれば、請求項１の発明の効果に加えて、前記ガスケットの表面リップの裏面と相対する裏側部が、前記ガスケットの表面リップの表面と相対する表側部に比較して、肉が厚くなっただけ、隙間が大きくなり、排水性が向上する。【００１６】  請求項３の発明によれば、請求項１又は２の発明の効果に加えて、前記ガスケットの表面リップの裏面と相対する裏側部は、前記ガスケットの表面リップの表面と相対する表側部に比較して、前記ガスケットの長手方向に長く設定されているため、その一部が“ずれ”や“はずれ”を起こそうとしても、残りの部分に拘束されているため、その“ずれ”や“はずれ”に対する抑止力が大きい。しかも、前記ガスケットの前記鉛直方向目地への嵌着の過程で、前記表面リップ４ｂの先端部と前記鉛直方向目地３ａの縁との間に挟み込まれて行く部分が次第に増大し、それによる摩擦力の増加がそれ自身を含むクリップの“ずれ”や“はずれ”に対する強大な抑止力として成長する。【００１７】  請求項４の発明によれば、請求項３の発明の効果に加えて、前記クリップ６を前記表面リップ４ｂに外嵌するに当たって、その薄肉の先端はきっかけに前記裏側部全体をその表面リップ４ｂとその奥の中間リップ４ｃの間に容易に挿入するのに極めて適している。【００１８】  請求項５の発明によれば、請求項３又は４の発明の効果に加えて、前記クリップを前記表面リップに外嵌するに当たって、その薄肉且つ尖った先端はきっかけに前記裏側部全体をその表面リップ４ｂとその奥の中間リップ４ｃの間に容易に挿入するのに極めて適していると共に、その表面リップの、前記クリップが外嵌された部分を前記鉛直方向目地に嵌着する際、初めはそれの前記鉛直方向目地の縁への引っ掛かりの程度が弱く、“ずれ”や“はずれ”を起こし難くい。【００１９】  請求項６の発明によれば、請求項１乃至５のいずれかの発明の効果に加えて、前記ガスケットの、前記クリップの外嵌された部分の、前記鉛直方向目地の嵌着に当たって、前記クリップの“ずれ”や“はずれ”に対する抑止力の一つとして作用する。
【発明を実施するための最良の形態】
【００２０】  本発明を実施するための最良の形態に関わる、建物外壁目地のシール構造の排水構造について図１（ａ，ｂ）及び図２（ａ，ｂ，ｃ）により説明するに当たって、先ず建物外壁目地のシール構造について図１（ａ，ｂ）により説明する。先ずシール構造について説明すると、１は建物の外面に張られた面材、３ａ、３ｂはそれぞれ互いに巣直に交差する鉛直方向目地、水平方向目地であって、それぞれ建物外面に張られた面材１の鉛直方向、水平方向の隙間よりなり、表側からは格子状に見える。【００２１】  ４は鉛直方向目地３ａに嵌着されたガスケットであって、目地３ａの奥から表に向かって伸びる柱状部４ａ、その柱状部４ａの表側の端に結合され、左右両側に伸び、目地３ａ左右側面（面材１，１）に弾接する表面リップ４ｂ、その表面リップ４ｂの奥、前記柱状部４ａには、左右両側に伸び、目地３ａ左右側面に弾接する中間リップ４ｃ、奥リップ４ｄがそれぞれ結合されている。なお、符号は省略するが、表面リップ４ｂと中間リップ４ｃとの間、左右に補強のためにそれぞれブリッジが設けられている。【００２２】  ５は水平方向目地３ｂに注入、充填された不定形シーリング剤であって、上記ガスケット４が水平方向目地３ｂ毎に分断されているのに対して、両目地３ａ，３ｂの交差部を含めて水平方向に連続しており、その一部５ａはガスケット４の上下方向の端部（鉛直方向目地３ａ）内にも入り込んでいる。以上構成されることによって、鉛直方向目地３ａの側面にリップ４ｂ，４ｃ，４ｄが弾接し、他方水平方向目地３ｂにシーリング剤５が充満するため、両目地３ａ，３ｂは水密にシールされる。【００２３】  なお、上記ガスケット４を鉛直方向目地３ａに嵌着する操作手順について説明すると、先ず前記鉛直方向目地３のいずれか一方の端、例えば上端に前記ガスケット４のそれを重ね合わせ、その表面リップ４ｂの上端の中点を押し、そのガスケット４の上端部分を前記鉛直方向目地３に押し込み、固定する。そうすることによって、そのガスケット４の残りの部分は、上端は壁面に密着しているが、下端が壁面から離れた状態に前後方向に傾斜した姿勢になる。それによって前記表面リップ４ｂは、中央部分が奥に引っ込むが、左右先端部が前記鉛直方向目地３ａの縁に引っ掛かって手前に突出する、いわゆる“弓なり”の状態に湾曲する。以下順次、その表面リップ４ｂの、直前に嵌着、固定された部分の、直ぐ下の部分の中点を押し、その下の部分を、前記鉛直方向目地３の対応する位置に嵌着、固定していく。なお、前記ガスケット４の前記鉛直方向目地３ａの嵌着、固定する、最初の端は、上述のように上にしたが、下にしてもよい。【００２４】  ここで本発明の排水構造の１例を形成するクリップ６について図２（ａ，ｂ）により説明する。そのクリップ６は、表側部６ａと裏側部６ｂとが表裏に相対するよう、断面コの字状に形成されると共に、その色は透明又はガスケット４と同色にしてある。さらにそのクリップ６は、前記各ガスケット４の表面リップ４ｂの下部のそれぞれ左右両側に１個ずつ、下方の各水平方向目地３ｂとの境に近い部分を挟むように外嵌されることによって、その表面リップ４ｂと，それが嵌着される鉛直方向目地３ａと，の間、その��クリップ６の上下に隙間Ｓ，Ｓが形成され、その隙間Ｓ，Ｓが、そのガスケット４内に外から入って、流下する水を屋外に排出する排水口として機能するよう構成されている。【００２５】  作用について説明すると、前記表面リップ４ｂの下部左右両側に、前記クリップ６，６が外嵌されたガスケット４を前記鉛直方向目地３ａに嵌着すると、その表面リップ４ｂの、そのクリップ６が外嵌された部分の先端部は、前記クリップ６の裏側部６ｂを介して前記鉛直方向目地３ａの縁に接し、前記クリップ６が外嵌されない残りの部分のそれに対して、前記裏側部６ｂの厚さ相当分だけ前記鉛直方向目地３ａの鉛直中心線側に寄るため、前記クリップ６が外嵌されない残りの部分のそれとの境に段差が生じ、前記面材１の縁との間に隙間Ｓ，Ｓが形成される。【００２６】  すなわち、その表面リップ４ｂを越えて水がガスケット４内に浸入することがあっても、その水は前記ガスケット４内を自重で降下し、前記隙間Ｓ，Ｓから屋外に排出され、内部に溜まることはなく、従って前記面材１がそれによって損傷を受けたり、さらに屋内へ水が漏れることに発展したりすることもない。勿論、冬季に溜まった水の凍結、膨張による従来の問題点もない。【００２７】  従って従来のものに追加する点は、上記クリップ６を製作し、従来のガスケット４に外嵌するだけであり、それのガスケット４への外嵌、さらにそのクリップ６付きのガスケット４の鉛直方向目地３ａへの嵌着も極めて容易な作業であって、コスト増は前記クリップ６の製作によるものだけで僅少であり、また施工後の外観も、そのクリップ６が透明又はガスケットと同色であるため、周囲の面材１やガスケット６との違和感もなく、格別損なわれることはない。【００２８】  さらにこの各クリップ６の構成の詳細について説明すると、図２（ａ，ｂ，ｃ）に示すように、前記裏側部６ｂを、その開口側が、前記表側部６ａよりも前記ガスケット４の長手方向両側に向って長くなるよう、上から見て台形状に形成してある。しかし、これはその典型的な一例であって、次の構成のものであれば、これに限定されるものではない。すなわち、前記クリップ４の相対する２つの部分のうち、前記ガスケット４の表面リップ４ｂの裏面と相対する裏側部６ｂが、前記ガスケット４の表面リップ４ｂの表面と相対する表側部６ａに比較して前記ガスケットの長手方向に長く設定されている。さらに前記表側部６ａが長方形に形成してあるのに対して、前記裏側部６ｂのうち、前記表側部６ａと，前記ガスケット４の長手方向に同長の部分を超えて延長された部分の内縁と，が前記クリップ４の開口側内縁と同一鉛直平面上にあり、しかも前記同長の部分を超えて延長された部分の内縁と外縁との距離が前記同長の部分から前記ガスケットの長手方向に離れるに従って漸減している。【００２９】  そのうえ、前記表側部６ａに相対する、中央の長方形部分だけは他の部分に比べて“厚肉”にし、残りの両側の三角形延長部分６ｂｂ，６ｂｂを強度上支障がない程度に“薄肉”にしてある。すなわち、前記裏側部６ｂのうち、少なくとも、前記ガスケット４の長手方向に前記表側部６ｂと同長の部分を超えて延長された部分は、肉厚が前記表側部６ａのそれと同等又はそれより薄く���定されていれば、これに限定されるものではない。さらに、前記表側部６ａの、前記表面リップ４ｂと相対する裏面の開口側中心には、前記表面リップ４ｂへの外嵌時、“はずれ”難いよう、それを抑える突起６ｃを設けてある。なお、この突起６ｃは前記ガスケット４の長手方向に平行な“突条”であってもよい。【００３０】  それぞれの構成の効果について説明すると、先ず前記長方形の厚肉部分６ｂａが、前記表側部６ａや裏側部６ｂの他の部分に比較して“厚肉”であるため、前記表面リップ４ｂ先端部の、その厚肉部分６ｂａと接する部分が、その増肉相当分だけ、前記鉛直方向目地３への鉛直中心線側に寄る。従って残りの部分のそれとの段差が増大し、それだけ前記表面リップ４ｂと面材１との隙間Ｓが拡大するため、排水性が向上する。【００３１】  そのうえ、前記裏側部６ｂの開口側が長くなり、前記肉厚部分６ｂａの両側に三角形の薄肉部分６ｂｂ，６ｂｂが設けられているため、後述するように、前記クリップ６のガスケット４に対する“ずれ”や“はずれ”の抑止力が著しく増大する。【００３２】  その理由について説明する前に、図３（ａ）に示す、前記表側部６ａと裏側部６ｂとが同じ大きさの長方形のクリップ１６の“ずれ”や“はずれ”の可能性について説明すると、前記表面リップ４ｂの、前記クリップ１６が外嵌された部分を前記鉛直方向目地３ａに向かって押し、ガスケット４を押し込もうとすると比較的容易に押し込まれるが、前記各クリップ６の裏側部１６ｂが前記鉛直方向目地３ａの縁に引っ掛かり、取り残されて、その表面リップ４ｂから“ずれ”たり、“はずれ”たりすることがある。なお、このクリップ１６を含む、建物外壁目地のシール構造の排水構造も排水性について優れており、本発明の一つの実施態様であることは勿論である。【００３３】  それに対して、上述のように延設された三角形薄肉部分６ｂｂは、前記厚肉部分６ｂａと一体であり、しかも、その厚肉部分６ｂａが、前記表面リップ４ｂに拘束されているため、それ自身が“ずれ”たり、“はずれ”たりすることはなく、暫くはその幅を増しながら、前記表面リップ４ｂの先端部と前記鉛直方向目地３ａの縁との間に挟み込まれて行く。しかも、その表面リップ４ｂ先端部と前記鉛直方向目地３ａの縁との間に挟み込まれた部分が次第に増大して行くと、それによる摩擦力の増大が次第にそれ自身を含むクリップ６の“はずれ”や“ずれ”に対する強大な抑止力に成長する。【００３４】  以上のことから、前記表面リップ４と共に押し込まれた、問題の長方形厚肉部分６ｂａが前記鉛直方向目地３ａに引っ掛かって“はずれ”や“ずれ”を起こそうとしても、それに対して上述のような強大な抑止力が働くため、それによって前記クリップ６の“はずれ”や“ずれ”が抑止されるだけでなく、その長方形厚肉部分６ｂａも前記表面リップ４ｂ先端部と前記鉛直方向目地３ａの縁とによって挟み込まれることが、その下方の三角形薄肉部分６ｂｂの“はずれ”や“ずれ”の抑止力として作用するようになる。勿論上述の前記表面リップ４ｂ裏面に設けられた突起６ｄもそのクリップ６の“ずれ”や“はずれ”に対する抑止力の一つとして作用する。【００３５】  なお、ここで三角形薄肉部分６ｂｂの利���について補足すると、前記クリップ６を前記表面リップ４ｂに外嵌するに当たって、薄く、且つ尖っている先端をその表面リップ４ｂとその奥の中間リップ４ｃの間に容易に挿入するのに極めて適している。また、その表面リップ４ｂの、前記クリップ６が外嵌された部分を前記鉛直方向目地３ａに嵌着する際、それは初め前記鉛直方向目地３ａの縁への引っ掛かりの程度が弱く、“ずれ”や“はずれ”を起こし難い。【００３６】  本発明のクリップは上述の構成のものに限定されるものではなく、その幾つかを示すと例えば図３の通りである。これらはいずれも排水性について優れている点を含め、上述のクリップ６とはその利点の少なくとも一部を共有しているが、それぞれ幾つかの問題点も残っている。【００３７】  簡単にその構成の特徴を説明すると、それぞれ図３（ｂ）に示すクリップ２６は、裏側部２６ｂの一方の側を前記ガスケット４の長手方向に同一幅、同一厚さのまま延長したもの、図３（ｃ）に示すクリップ３６は、裏面部３６ｂの一方の側が前記ガスケット４の長手方向に同一幅のまま延長されているが、前記クリップ６同様に延長部分を薄肉にしたものである。なお、各構成の効果については、前記クリップ６について述べたことと同様であるため、省略する。
【図面の簡単な説明】
【００３８】
【図１】本発明の建物外壁目地のシール構造の排水構造を示す、それぞれ（ａ）は正面図、（ｂ）はそのＡ−Ａ断面図である。
【図２】本発明の建物外壁目地のシール構造の排水構造に適用されるクリップを示す、それぞれ（ａ）は側面図、（ｂ）は正面図、（ｃ）は平面図である。
【図３】図２に示すクリップの他のそれぞれ、（ａ）は１番目の例を示す平面図、（ｂ）はは２番目の例を示す平面図、（ｃ）は３番目の例を示す正面図である。
【図４】従来の建物外壁目地のシール構造を示す、それぞれ（ａ）は正面図、（ｂ）はＢ−Ｂ断面図である。
【符号の説明】
【００３０】  １      面材
３ａ    鉛直方向目地
３ｂ    水平方向目地
４      ガスケット
４ａ    柱状部
４ｂ    表面リップ
４ｃ    中間リップ
４ｄ    奥リップ
５      シーリング剤
６      クリップ
６ａ    表側部
６ｂ    裏側部
６ｂａ  厚肉部分
６ｂｂ  延長部分
６ｃ    突起
１６    クリップ
１６ｂ  裏側部
２６    クリップ
３６    クリップ
３６ｂ  裏側部
Ｓ      隙間
【図１】
2007297893.tif 000003
【図２】
2007297893.tif 000004
【図３】
2007297893.tif 000005
【図４】
2007297893.tif 000006